(57)【要約】【課題】少ない動力源によって、複数の棚板における前後両側から収納物が落下することを安定して防止することができる収納物落下防止ユニットを提供すること。【解決手段】収納物落下防止ユニット１は、側板部６２において棚板６１によって上下に仕切られた配設部位６２１に配設した落下防止アーム５、落下防止アーム５を待機状態に保持する保持部材４、地震計７からの信号を受けて作動するアクチュエータ２、及びアクチュエータ２による駆動を受けて移動し、保持部材４による落下防止アーム５の保持を解除する保持解除バー３を有している。地震計７が地震を感知したときには、各アクチュエータ２が作動して各保持解除バー３を移動させ、各保持解除バー３の移動を受けて各保持部材４が各落下防止アーム５の保持を解除し、各落下防止バー５４が円弧を描いて手前側に下降して収納物の落下を防止する。【選択図】図３
2010273955.tif 000002
【特許請求の範囲】
【請求項１】
前後両側から収納物を出し入れ可能な棚板を左右一対の側板部同士の間において上下に複数配置した収納棚に設置して用い、地震計からの信号を受けて収納物の落下防止を行うよう構成した収納物落下防止ユニットであって、
上記側板部において上記棚板によって上下に仕切られた配設部位に配設し、上側の上記棚板の表面側に配置した回動先端部を、該回動先端部に対する斜め下方位置に配置した回動支点部を中心に下方へ回動させることが可能な待機状態を形成して配設する落下防止アームと、
該落下防止アームに係合し、該落下防止アームを上記待機状態に保持する保持部材と、
上記地震計からの信号を受けて作動するアクチュエータと、
該アクチュエータによる駆動を受けて移動し、上記保持部材による上記落下防止アームの保持を解除する保持解除バーとを有しており、
上記落下防止アーム及び上記保持部材は、上記保持解除バーに対する前後両側に一対に配設すると共に、上下に並ぶ上記配設部位に複数配設してあり、
上記保持解除バーは、上記側板部における前後方向の中央部分に配設してあると共に、上記前後両側であって上記上下に並ぶ配設部位にそれぞれ配設した上記保持部材に対してそれぞれ係合しており、
上記複数の落下防止アーム、上記複数の保持部材、上記アクチュエータ及び上記保持解除バーは、上記左右一対の側板部においてそれぞれ配設してあり、
上記上下に並ぶ複数の配設部位において、上記左右一対の側板部において前側に配設した一対の上記落下防止アームの上記回動先端部同士の間、及び上記左右一対の側板部において後側に配設した一対の上記落下防止アームの上記回動先端部同士の間には、水平方向に向けてそれぞれ落下防止バーが掛け渡してあり、
上記地震計が地震を感知したときには、上記各アクチュエータが作動して上記各保持解除バーを移動させ、該各保持解除バーの移動を受けて上記各保持部材が上記各落下防止アームの保持を解除し、上記各落下防止バーが円弧を描いて手前側に下降して上記収納物の落下を防止するよう構成したことを特徴とする収納物落下防止ユニット。
【請求項２】
請求項１において、上記保持部材は、回動可能な状態で上記側板部に配設されると共に、上記保持解除バーに設けたドッグに係合して回動不能に保持されることにより、上記落下防止アームを上記待機状態に保持しており、かつ、上記落下防止アームにおいて上記回動支点部を介して上記回動先端部とは反対側に位置する回動基端部を係止するラッチと、該ラッチを、付勢部材を介して突出方向へ付勢した状態で保持するラッチブラケットとを有しており、
上記保持解除バーの移動によって上記保持部材に対する上記ドッグの係合が解除されたとき、当該保持部材が回動することにより、上記ラッチが上記落下防止アームの上記回動基端部を係止する状態が解除されて、上記落下防止アーム及び上記落下防止バーが回動するよう構成してあり、
上記アクチュエータ及び上記保持解除バーを元の位置に復帰させた後には、手動操作によって上記落下防止バーを持ち上げることによって、上記付勢部材の付勢力に抗して上記ラッチを押し込みながら上記落下防止アームを上記待機状態へ復帰させるよう構成したことを特徴とする収納物落下防止ユニット。
【発明の詳細な説明】
【技術分野】
【０００１】
本発明は、地震計からの信号を受けて収納物の落下防止を行うよう構成した収納物落下防止ユニットに関する。
【背景技術】
【０００２】
例えば、図書館等においては、収納物としての書籍を収納棚としての書棚に多数収納している。そして、地震対策として、書棚の転倒防止、書籍の落下防止等が行われている。
例えば、特許文献１の棚の収納物落下防止装置においては、棚板上に載置した収納物の落下を防止するため、保持機構が地震等による振動を検知したときには、棒状の落下防止部材を書籍の前に落下させるようにしている。この落下防止装置においては、落下防止部材を重力により落下させるといった極めて簡単な構造によって、地震等が起こった際の収納物の落下防止対策を実現することができる。
また、例えば、特許文献２の物品棚における物品落下防止装置においては、感震装置が作動したときには、下方へ回動するガイドによって物品棚の前面にネットを引き出し、このネットによって、物品棚から物品が落下することを防止することが開示されている。
【先行技術文献】
【特許文献】
【０００３】
【特許文献１】特開２０００−２１０１４８号公報
【特許文献２】特開平１１−１９６９６２号公報
【発明の概要】
【発明が解決しようとする課題】
【０００４】
しかしながら、従来の落下防止装置等によっては、棚板に対して前後両側から収納物を出し入れ可能にした書棚等の収納棚に対して、前後両側からの収納物の落下を防止する工夫はなされていない。
また、地震等があったときに収納物の落下を防止する落下防止部材等は鉛直方向へ下降するよう構成されている。そのため、収納物が棚板の手前側へ若干突出して収納されている場合には、落下防止部材等が収納物に干渉して所定の位置まで下降することができず、収納物の落下を防止できないおそれがある。
【０００５】
本発明は、かかる従来の問題点に鑑みてなされたもので、少ない動力源によって、複数の棚板における前後両側から収納物が落下することを安定して防止することができる収納物落下防止ユニットを提供しようとするものである。
【課題を解決するための手段】
【０００６】
本発明は、前後両側から収納物を出し入れ可能な棚板を左右一対の側板部同士の間において上下に複数配置した収納棚に設置して用い、地震計からの信号を受けて収納物の落下防止を行うよう構成した収納物落下防止ユニットであって、
上記側板部において上記棚板によって上下に仕切られた配設部位に配設し、上側の上記棚板の表面側に配置した回動先端部を、該回動先端部に対する斜め下方位置に配置した回動支点部を中心に下方へ回動させることが可能な待機状態を形成して配設する落下防止アームと、
該落下防止アームに係合し、該落下防止アームを上記待機状態に保持する保持部材と、
上記地震計からの信号を受けて作動するアクチュエータと、
該アクチュエータによる駆動を受けて移動し、上記保持部材による上記落下防止アームの保持を解除する保持解除バーとを有しており、
上記落下防止アーム及び上記保持部材は、上記保持解除バーに対する前後両側に一対に配設すると共に、上下に並ぶ上記配設部位に複数配設してあり、
上記保持解除バーは、上記側板部における前後方向の中央部分に配設してあると共に、上記前後両側であって上記上下に並ぶ配設部位にそれぞれ配設した上記保持部材に対してそれぞれ係合しており、
上記複数の落下防止アーム、上記複数の保持部材、上記アクチュエータ及び上記保持解除バーは、上記左右一対の側板部においてそれぞれ配設してあり、
上記上下に並ぶ複数の配設部位において、上記左右一対の側板部において前側に配設した一対の上記落下防止アームの上記回動先端部同士の間、及び上記左右一対の側板部において後側に配設した一対の上記落下防止アームの上記回動先端部同士の間には、水平方向に向けてそれぞれ落下防止バーが掛け渡してあり、
上記地震計が地震を感知したときには、上記各アクチュエータが作動して上記各保持解除バーを移動させ、該各保持解除バーの移動を受けて上記各保持部材が上記各落下防止アームの保持を解除し、上記各落下防止バーが円弧を描いて手前側に下降して上記収納物の落下を防止するよう構成したことを特徴とする収納物落下防止ユニットにある（請求項１）。
【発明の効果】
【０００７】
本発明の収納物落下防止ユニットにおいては、落下防止アームを、回動支点部を中心に下方へ回動させるよう構成したことにより、地震計が地震を感知したときには、落下防止アームの回動先端部同士の間に水平方向に掛け渡した落下防止バーが円弧を描いて手前側に下降することができる。これにより、棚板の手前側へ若干突出して収納物が収納されている場合でも、落下防止バーが収納物を避けながら下降することができ、収納物よりも手前側に安定して移動することができる。そのため、地震等の際には、落下防止バーが収納物が棚板から落下することを安定して防止することができる。
【０００８】
また、地震計が地震を検知したときには、アクチュエータ及び保持解除バーの作動によって、上下に並ぶと共に前後両側に位置する落下防止アーム及び落下防止バーの全体を同時に回動させることができる。これにより、少ないアクチュエータ（駆動源）によって、複数の落下防止アーム及び落下防止バーを同時に回動させて、複数の棚板における前後両側から収納物が落下することを防止することができる。
なお、側板部における配設部位を形成する棚板には天板を含むこととする。
【０００９】
それ故、本発明の収納物落下防止ユニットによれば、少ない動力源によって、複数の棚板における前後両側から収納物が落下することを安定して防止することができる。
【図面の簡単な説明】
【００１０】
【図１】実施例において、収納物落下防止ユニットの全体を簡略的に示す斜視図。
【図２】実施例において、収納物落下防止ユニットの要部を分解した状態で示す斜視図。
【図３】実施例において、前後両側及び上下に並ぶ落下防止アーム、保持部材等を左右方向から見た状態で示す説明図。
【図４】実施例において、収納棚を前後方向から見た状態で示す説明図。
【図５】実施例において、落下防止アームが待機位置にある状態の収納物落下防止ユニットの要部を左右方向から見た状態で示す説明図。
【図６】実施例において、落下防止アームが落下防止位置に回動した状態の収納物落下防止ユニットの要部を左右方向から見た状態で示す説明図。
【図７】実施例において、収納物落下防止ユニットの要部を上下方向から見た状態で示す説明図。
【図８】実施例において、落下防止アームを待機位置に保持する状態の保持部材の周辺を示す説明図。
【図９】実施例において、落下防止アームが落下防止位置に回動した状態の保持部材の周辺を示す説明図。
【図１０】実施例において、落下防止アームを待機位置に復帰させる状態の保持部材の周辺を示す説明図。
【発明を実施するための形態】
【００１１】
上述した本発明の収納物落下防止ユニットにおける好ましい実施の形態につき説明する。
本発明において、上記保持部材は、回動可能な状態で上記側板部に配設されると共に、上記保持解除バーに設けたドッグに係合して回動不能に保持されることにより、上記落下防止アームを上記待機状態に保持しており、かつ、上記落下防止アームにおいて上記回動支点部を介して上記回動先端部とは反対側に位置する回動基端部を係止するラッチと、該ラッチを、付勢部材を介して突出方向へ付勢した状態で保持するラッチブラケットとを有しており、上記保持解除バーの移動によって上記保持部材に対する上記ドッグの係合が解除されたとき、当該保持部材が回動することにより、上記ラッチが上記落下防止アームの上記回動基端部を係止する状態が解除されて、上記落下防止アーム及び上記落下防止バーが回動するよう構成してあり、上記アクチュエータ及び上記保持解除バーを元の位置に復帰させた後には、手動操作によって上記落下防止バーを持ち上げることによって、上記付勢部材の付勢力に抗して上記ラッチを押し込みながら上記落下防止アームを上記待機状態へ復帰させるよう構成することが好ましい（請求項２）。
この場合には、保持部材の構造が適切であり、地震が発生していない通常時においては、安定して落下防止アームを待機状態に保持することができる。また、地震から復帰したときには、落下防止バーを持ち上げる手動操作によって簡単に落下防止アームを元の待機状態に復帰させることができる。
【実施例】
【００１２】
以下に、本発明の収納物落下防止ユニットにかかる実施例につき、図面を参照して説明する。
本例の収納物落下防止ユニット１は、図１〜図４に示すごとく、前後両側から収納物を出し入れ可能な棚板６１を左右一対の側板部６２同士の間において上下に複数配置した収納棚６に設置して用い、地震計７からの信号を受けて収納物の落下防止を行うよう構成してある。収納物落下防止ユニット１は、以下の落下防止アーム５、保持部材４、アクチュエータ２及び保持解除バー３を有している。本例において、前後方向は矢印Ｄ、左右方向は矢印Ｗ、上下方向は矢印Ｈで示す。
【００１３】
図５に示すごとく、落下防止アーム５は、側板部６２において棚板６１によって上下に仕切られた配設部位６２１に配設するよう構成してある。また、落下防止アーム５は、上側の棚板６１の前後方向Ｄの手前側（表面側）に配置した回動先端部５１を、回動先端部５１に対する斜め下方位置に配置した回動支点部５２を中心に下方へ回動させることが可能な待機状態を形成して側板部６２における配設部位６２１に配設するよう構成してある。
保持部材４は、落下防止アーム５に係合し、落下防止アーム５を待機位置５０１（待機状態）に保持するよう構成してある。図６に示すごとく、アクチュエータ２は、地震計７からの信号を受けて作動するよう構成してある。保持解除バー３は、アクチュエータ２による駆動を受けて移動し、保持部材４による落下防止アーム５の保持を解除するよう構成してある。
【００１４】
図１、図３に示すごとく、落下防止アーム５及び保持部材４は、保持解除バー３に対する前後両側に一対に配設すると共に、上下に並ぶ配設部位６２１に複数配設してある。保持解除バー３は、側板部６２における前後方向Ｄの中央部分に配設してあると共に、前後両側であって上下に並ぶ配設部位６２１にそれぞれ配設した保持部材４に対してそれぞれ係合している。複数の落下防止アーム５、複数の保持部材４、アクチュエータ２及び保持解除バー３は、左右一対の側板部６２においてそれぞれ配設してある。
【００１５】
図１、図４に示すごとく、上下に並ぶ複数の配設部位６２１において、左右一対の側板部６２において前側に配設した一対の落下防止アーム５の回動先端部５１同士の間、及び左右一対の側板部６２において後側に配設した一対の落下防止アーム５の回動先端部５１同士の間には、水平方向に向けてそれぞれ落下防止バー５４が掛け渡してある。
そして、図６に示すごとく、収納物落下防止ユニット１は、地震計７が地震を感知したときには、各アクチュエータ２が作動して各保持解除バー３を移動させ、各保持解除バー３の移動を受けて各保持部材４が各落下防止アーム５の保持を解除し、各落下防止バー５４が円弧を描いて手前側に下降して収納物の落下を防止するよう構成してある。
【００１６】
以下に、本例の収納物落下防止ユニット１につき、図１〜図１０を参照して詳説する。
図３、図４に示すごとく、本例の収納物落下防止ユニット１を設置する収納棚６は、図書館等の施設に設置した書棚（特に背高書架）であり、本例の収納物は書籍である。収納棚６は、施設において多数設置してあり、同じ地震計７から信号を受けて、多数の収納棚６にそれぞれ設けた収納物落下防止ユニット１を同時に作動させることができる。
本例の収納棚（背高書架）６は、前後方向Ｄの中央部分に中間支柱が立設されるスペースを有しており、前側と後側とに分離して複数の棚板６１を備えたものである。収納棚６においては、上下の棚板６１と左右の側板部６２とによって、収納物（書籍）を出し入れするための収納スペース６０が形成されている。また、収納物落下防止ユニット１は、収納棚（背高書架）６における複数の棚板６１のうち上方の位置（本例では上から３つの収納スペース６０）に配置された棚板６１から収納物が落下することを防止する。なお、一番上の部分は天板であるが、便宜上これも棚板６１とよぶことにする。
【００１７】
図５に示すごとく、収納物落下防止ユニット１は、落下防止アーム５が待機位置５０１にある通常時においては、落下防止アーム５の回動先端部５１及び落下防止バー５４を、落下防止アーム５を配設した配設部位６２１に対する上側の棚板６１の下側角部の手前側に配置してなる。
そして、図７に示すごとく、収納物落下防止ユニット１において、落下防止アーム５の回動先端部５１及び落下防止バー５４以外の部分（落下防止アーム５の残部、保持部材４、アクチュエータ２、保持解除バー３等）は、側板部６２の内側に取り付けるカバー部材６２２によって覆われている。
【００１８】
図５に示すごとく、アクチュエータ２は、側板部６２に固定され、保持解除バー３は、側板部６２に固定したブラケット１１に対してスライド可能に支持されている。落下防止アーム５は、回動支点部５２が側板部６２に対して回動可能に支持されており、回動支点部５２に対して回動先端部５１側のアーム部分５５が、回動基端部５３側のアーム部分５６に比べて長く自重が大きいことにより、自由状態においては、回動先端部５１側のアーム部分５５が自重により下降するよう構成されている。
落下防止アーム５は、側板部６２における上下方向Ｈの中間位置に回動支点部５２を配置し、図６に示すごとく、アクチュエータ２の作動を受けて落下防止位置５０２に回動したときには、側板部６２の配設部位６２１における上下方向Ｈの中間位置に設けたストッパー６３によって、回動先端部５１側のアーム部分５５が略水平になる状態で回動停止されるよう構成されている。ストッパー６３の上面には、緩衝材等が設けてある。
【００１９】
アクチュエータ２は、通電による電磁力を受けて作動するソレノイドを用いて構成されている。また、アクチュエータ２は、通電を行わない通常時においては、永久磁石による磁力を受けて出力部２１の位置が固定されている。これにより、地震等がない通常時においては、何らの電源を必要とせず、保持解除バー３、保持部材４及び落下防止アーム５の位置を維持することができる。
【００２０】
図５、図８に示すごとく、保持部材４は、その上下方向Ｈの中間部位に設けた回動中心部４０を中心に回動可能な状態で側板部６２に配設されている。保持部材４は、落下防止アーム５において回動支点部５２を介して回動先端部５１とは反対側に位置する回動基端部５３を係止するラッチ４２と、ラッチ４２を、圧縮バネ（付勢部材）４４を介して突出方向へ付勢した状態で保持するラッチブラケット４１とを有している。ラッチブラケット４１及びラッチ４２は、その上端部に取り付けた引張バネ４３の付勢力によって落下防止アーム５の保持を解除する方向に付勢されており、保持解除バー３に設けたドッグ３１に係合して回動不能に保持されている。ラッチブラケット４１及びラッチ４２は、いずれも同じ回動中心部４０を中心に回動可能である。
【００２１】
図６、図９に示すごとく、ラッチブラケット４１及びラッチ４２は、保持解除バー３の移動によってラッチブラケット４１に対するドッグ３１の係合（当接状態）が解除されたとき、ラッチブラケット４１及びラッチ４２が回動することにより、ラッチ４２が落下防止アーム５の回動基端部５３を係止する状態が解除されて、落下防止アーム５及び落下防止バー５４が回動するよう構成してある。
【００２２】
図２、図８に示すごとく、落下防止アーム５の回動基端部５３には、ラッチ４２の外側表面４２１に当接させる円柱当接部５３１が設けてある。ラッチブラケット４１の外側表面４１１は、落下防止アーム５が回動する際に円柱当接部５３１が描く円弧に沿った形状に形成してある。また、円柱当接部５３１に当接するラッチ４２の外側表面４２１は、ラッチブラケット４１と同様の円弧形状を有しており、回動中心部４０よりも下方に配置した圧縮バネ（付勢手段）４４の付勢力を受けて、ラッチブラケット４１の外側表面４１１よりも突出している。ラッチ４２の外側表面４２１は、その下端側がラッチブラケット４１の外側表面４１１よりも最も突出する状態を形成しており、ラッチ４２の下端部によって落下防止アーム５が待機位置５０１に保持されている。
【００２３】
収納物落下防止ユニット１は、アクチュエータ２が作動して、落下防止位置５０２に回動した落下防止バー５４によって収納物の落下防止を行い、アクチュエータ２及び保持解除バー３を再び元の位置に復帰させた後には、手動操作によって落下防止バー５４を持ち上げることによって、落下防止アーム５を待機位置５０１へ復帰させるよう構成されている。この復帰の際には、図１０に示すごとく、落下防止アーム５の回動基端部５３における円柱当接部５３１は、ラッチ４２における円弧形状の外側表面４２１を摺動しながら圧縮バネ４４の付勢力に抗してラッチ４２を押し込むことができる。そして、落下防止アーム５における円柱当接部５３１がラッチ４２の下端部に到達したときには、ラッチ４２が元の突出位置に復帰して、ラッチ４２によって再び落下防止アーム５を待機位置５０１に保持することができる。
【００２４】
次に、本例の収納物落下防止ユニット１の動作につき詳説する。
地震等がない通常時においては、図５、図８に示すごとく、アクチュエータ２の出力部２１が固定されていることにより、保持解除バー３及びドッグ３１の位置が固定され、左右の側板部６２において前後及び上下のラッチブラケット４１の全体の位置が固定されている。これにより、左右の側板部６２において前後両側及び上下に並ぶ落下防止アーム５が落下防止バー５４を上側の棚板６１の下側角部の手前側に維持する待機位置５０１に保持することができる。
この通常時においては、落下防止バー５４は、棚板６１（収納スペース６０）へ収納物（書籍）を出し入れする際の障害物になることが回避されている。また、特に図書館等の施設においては、棚板６１の前面（手前側の面）に書籍等の見出しを設けることが多く、落下防止バー５４がこの見出しを隠してしまうことを防止することができる。
【００２５】
そして、地震の発生により地震計７が地震を感知したときには、地震計７からアクチュエータ２へ制御信号が送信される。このとき、図６、図９に示すごとく、アクチュエータ２は、その出力部２１を下降させ、これにより、保持解除バー３及びドッグ３１が下降して、ドッグ３１がラッチブラケット４１から離れる。
これにより、ラッチブラケット４１及びラッチ４２が引張バネ４３の付勢力を受けて側板部６２の内側（中心側）へ回動し、ラッチ４２が待機位置５０１における落下防止アーム５の保持を解除する。また、落下防止アーム５の回動先端部５１同士の間に掛け渡された落下防止バー５４が円弧を描いて手前側に下降し、落下防止アーム５が側板部６２の配設部位６２１の上下方向Ｈの中間位置に設けたストッパー６３によって受け止められる。こうして、上下に並ぶ各収納スペース６０において、前後両側の落下防止バー５４が、棚板６１（収納スペース６０）から収納物（書籍）が落下することを防止することができる。
【００２６】
本例の収納物落下防止ユニット１においては、上記のごとく、落下防止アーム５を、回動支点部５２を中心に下方へ回動させるよう構成したことにより、地震計７が地震を感知したときには、落下防止アーム５の回動先端部５１同士の間に水平方向に掛け渡した落下防止バー５４が円弧を描いて手前側に下降することができる。これにより、棚板６１の手前側へ若干突出して収納物が収納されている場合（例えば、収納物としての書籍の前に展示用図書を置く場合等）でも、落下防止バー５４が収納物を避けながら下降することができ、収納物よりも手前側に安定して移動することができる。そのため、地震等の際には、落下防止バー５４によって、棚板６１から収納物が落下することを安定して防止することができる。
【００２７】
また、地震計７が地震を検知したときには、アクチュエータ２及び保持解除バー３の作動によって、上下に並ぶと共に前後両側に位置する落下防止アーム５及び落下防止バー５４の全体を同時に回動させることができる。これにより、少ないアクチュエータ２（駆動源）によって、複数の落下防止アーム５及び落下防止バー５４を同時に回動させて、複数の棚板６１における前後両側から収納物が落下することを防止することができる。
【００２８】
それ故、本例の収納物落下防止ユニット１によれば、少ない動力源によって、複数の棚板６１における前後両側から収納物が落下することを安定して防止することができる。
また、本例の収納物落下防止ユニット１は、特に図書館等の施設における既設の収納棚６に対して、側板部６２に簡単な改造を加えることによって簡単に設置することができる。そのため、既存の収納棚６に対して安価に幅広く採用することができる。
【符号の説明】
【００２９】
１  収納物落下防止ユニット
２  アクチュエータ
３  保持解除バー
３１  ドッグ
４  保持部材
４１  ラッチブラケット
４２  ラッチ
５  落下防止アーム
５１  回動先端部
５２  回動支点部
５３  回動基端部
５４  落下防止バー
６  収納棚
６０  収納スペース
６１  棚板
６２  側板部
６２１  配設部位
７  地震計
【図１】
2010273955.tif 000003
【図２】
2010273955.tif 000004
【図３】
2010273955.tif 000005
【図４】
2010273955.tif 000006
【図５】
2010273955.tif 000007
【図６】
2010273955.tif 000008
【図７】
2010273955.tif 000009
【図８】
2010273955.tif 000010
【図９】
2010273955.tif 000011
【図１０】
2010273955.tif 000012